(57)【要約】  【構成】  ＣＰＵ２２は、選択された動画像コンテンツがＭＪＰＥＧ方式およびＭＰＥＧ４方式のいずれに従う動画像コンテンツであるかを判別する。ＭＰＥＧ方式に従う動画像コンテンツは、Ｉフレームによって形成されるＭＪＰＥＧデータを含む。また、ＭＰＥＧ４方式に従う動画像コンテンツは、Ｉフレーム，ＢフレームおよびＰフレームによって形成されるＭＰＥＧ４データと、Ｉフレームによって形成されるサムネイル画像データとを含む。選択された動画像コンテンツがＭＪＰＥＧ方式に従うときは、ＭＪＰＥＧデータがＪＰＥＧ復号回路１２によって復号される。一方、選択された動画像コンテンツがＭＰＥＧ４方式に従うときは、サムネイル画像データがＪＰＥＧ復号回路１２によって復号される。  【効果】  符号化方式に関係なく、動画像コンテンツを再生できる。【選択図】  図１
2006081071.tif 000002
【特許請求の範囲】
【請求項１】
記録媒体に記録された複数の動画像コンテンツのいずれか１つを選択する選択手段、
前記選択手段によって選択された動画像コンテンツが第１動画像コンテンツおよび第２動画像コンテンツのいずれであるかを判別する判別手段、および
前記選択手段によって選択された動画像コンテンツを前記判別手段の判別結果に従う態様で再生する再生手段を備え、
前記第１動画像コンテンツは第１方式に従う複数の符号化フレームによって形成される主要画像データを含み、
前記第２動画像コンテンツは第１方式に従う複数の符号化フレームおよび第２方式に従う複数の符号化フレームによって形成される主要画像データと第１方式に従う複数の符号化フレームによって形成される付属画像データとを含み、
前記再生手段は、前記第１方式に従う復号処理を実行する復号手段、前記判別手段の判別結果が前記第１動画像コンテンツを指向するとき前記主要画像データを前記記録媒体から読み出し第１読み出し手段、および前記判別手段の判別結果が前記第２動画像コンテンツを指向するとき前記付属画像データを前記記録媒体から読み出す第２読み出し手段を含む、動画像再生装置。
【請求項２】
前記第２動画像コンテンツは、前記主要画像データおよび前記付属画像データを共通のファイルで管理する第１管理方式、および前記主要画像データおよび前記付属画像データを主要画像ファイルおよび付属画像ファイルでそれぞれ管理する第２管理方式のいずれか一方に従い、
前記第２読み出し手段は、注目する第２動画像コンテンツの管理方式を判別する方式判別手段、および前記方式判別手段の判別結果に応じて異なる態様で前記付属画像データの位置を特定する特定手段を含む、請求項１記載の動画像再生装置。
【請求項３】
前記第２動画像コンテンツは管理方式情報をさらに含み、
前記方式判別手段は前記管理方式情報に基づいて判別動作を行う、請求項２記載の動画像再生装置。
【請求項４】
前記第２管理方式に従いかつ前記付属画像ファイルが欠落した第２動画像コンテンツについて前記選択手段による選択を禁止する禁止手段をさらに備える、請求項２または３記載の動画像再生装置。
【請求項５】
前記第２動画像コンテンツは前記付属画像データのフレームレート情報をさらに含み、
前記再生手段は、前記第２読み出し手段によって読み出された付属画像データに基づく復号画像を前記フレームレート情報に従う周期で出力する出力手段をさらに含む、請求項１ないし４のいずれかに記載の動画像再生装置。
【請求項６】
前記主要画像データは前記第１方式に従う符号化フレームを周期的に含み、
前記付属画像データを形成する符号化フレームは前記主要画像データにおいて前記第１方式に従う符号化フレームと一致し、
前記フレームレート情報は前記主要画像データにおいて前記第１方式に従う符号化フレームが出現する周期を示す情報である、請求項５記載の動画像再生装置。
【請求項７】
前記第２動画像コンテンツは前記付属画像データの解像度情報をさらに含み、
前記出力手段は前記解像度情報に基づいて前記復号画像にズーム処理を施すズーム処理手段を含む、請求項５または６記載の動画像再生装置。
【請求項８】
前記第１方式はイントラ符号化方式であり、前記第２方式はインター符号化方式である、請求項１ないし７のいずれかに記載の動画像再生装置。
【発明の詳細な説明】
【技術分野】
【０００１】
この発明は、動画像再生装置に関し、特にたとえば、符号化された動画像コンテンツを再生する、動画像再生装置に関する。
【背景技術】
【０００２】
動画像データを符号化する代表的な方式として、Ｍｏｔｉｏｎ−ＪＰＥＧ（ＭＪＰＥＧ）方式あるいはＭＰＥＧ方式がある。ＭＪＰＥＧ方式では、動画像を形成するいずれのフレームもイントラ符号化を施される。これに対して、ＭＰＥＧ方式では、ＧＯＰの先頭フレームはイントラ符号化を施されるものの、他のフレームはインター符号化を施される。
【発明の開示】
【発明が解決しようとする課題】
【０００３】
このように、ＭＪＰＥＧ方式とＭＰＥＧ方式とでは符号化方式が異なる。このため、ＭＰＥＧ方式で符号化された動画像データの復号処理にＪＰＥＧ復号回路を用いると、イントラ符号化を施されたＩフレームは復号できるが、インター符号化を施されたＢフレームまたはＰフレームは復号できない。
【０００４】
換言すれば、Ｉフレームのみを復号することによって、ＪＰＥＧ復号回路を利用して動画像を簡易的に再生することは可能である。しかし、動画像データが長時間にわたる場合、Ｉフレームの検出のために複雑な処理が要求される。
【０００５】
それゆえに、この発明の主たる目的は、予定外の方式で符号化された動画像コンテンツを簡易に再生することができる、動画像再生装置を提供することである。
【課題を解決するための手段】
【０００６】
請求項１の発明に従う動画像再生装置は、記録媒体に記録された複数の動画像コンテンツのいずれか１つを選択する選択手段、選択手段によって選択された動画像コンテンツが第１動画像コンテンツおよび第２動画像コンテンツのいずれであるかを判別する判別手段、および選択手段によって選択された動画像コンテンツを判別手段の判別結果に従う態様で再生する再生手段を備え、第１動画像コンテンツは第１方式に従う複数の符号化フレームによって形成される主要画像データを含み、第２動画像コンテンツは第１方式に従う複数の符号化フレームおよび第２方式に従う複数の符号化フレームによって形成される主要画像データと第１方式に従う複数の符号化フレームによって形成される付属画像データとを含み、再生手段は、第１方式に従う復号処理を実行する復号手段、および判別手段の判別結果に応じて主要画像データおよび付属画像データの一方を記録媒体から読み出す読み出し手段を含む。
【０００７】
記録媒体に記録された複数の動画像コンテンツのいずれか１つが選択手段によって選択されると、選択された動画像コンテンツが第１動画像コンテンツおよび第２動画像コンテンツのいずれであるかが判別手段によって判別される。再生手段は、選択された動画像コンテンツを判別手段の判別結果に従う態様で再生する。
【０００８】
ここで、第１動画像コンテンツは、第１方式に従う複数の符号化フレームによって形成される主要画像データを含む。また、第２動画像コンテンツは、第１方式に従う複数の符号化フレームおよび第２方式に従う複数の符号化フレームによって形成される主要画像データと、第１方式に従う複数の符号化フレームによって形成される付属画像データとを含む。
【０００９】
さらに、再生手段では、第１方式に従う復号処理が復号手段によって実行される。判別手段の判別結果が第１動画像コンテンツを指向するときは、主要画像データが第１読み出し手段によって記録媒体から読み出される。一方、判別手段の判別結果が第２動画像コンテンツを指向するときは、付属画像データが第２読み出し手段によって記録媒体から読み出される。
【００１０】
したがって、第１動画像コンテンツが選択されたときは、主画像データに基づく正規の動画再生が行われる。また、第２動画像コンテンツが選択されたときは、付属画像データに基づく簡易的な動画再生が行われる。つまり、予定外の方式で符号化された動画像コンテンツについても、簡易的ではあるが、動画再生処理が実現される。
【００１１】
請求項２の発明に従う動画像再生装置は、請求項１に従属し、第２動画像コンテンツは、主要画像データおよび付属画像データを共通のファイルで管理する第１管理方式、および主要画像データおよび付属画像データを主要画像ファイルおよび付属画像ファイルでそれぞれ管理する第２管理方式のいずれか一方に従い、第２読み出し手段は、注目する第２動画像コンテンツの管理方式を判別する方式判別手段、および方式判別手段の判別結果に応じて異なる態様で付属画像データの位置を特定する特定手段を含む。
【００１２】
これによって、主要画像データおよび付属画像データの管理方式にばらつきがあるときでも、付属画像データに基づく簡易的な動画再生が可能となる。
【００１３】
請求項３の発明に従う動画像再生装置は、請求項２に従属し、第２動画像コンテンツは管理方式情報をさらに含み、方式判別手段は管理方式情報に基づいて判別動作を行う。
【００１４】
請求項４の発明に従う動画像再生装置は、請求項２または３に従属し、第２管理方式に従いかつ付属画像ファイルが欠落した第２動画像コンテンツについて選択手段による選択を禁止する禁止手段をさらに備える。第２管理方式の場合、主要画像データおよび付属画像データが互いに異なるファイルで管理されるため、付属画像ファイルが欠落する可能性がある。そこで、請求項４の発明では、付属画像ファイルが欠落した第２動画像コンテンツの選択を禁止するようにしている。これによって、操作性が向上する。
【００１５】
請求項５の発明に従う動画像再生装置は、請求項１ないし４のいずれかに従属し、第２動画像コンテンツは付属画像データのフレームレート情報をさらに含み、再生手段は、第２読み出し手段によって読み出された付属画像データに基づく復号画像をフレームレート情報に従う周期で出力する出力手段をさらに含む。これによって、付属画像データを通常速度で再生することができる。
【００１６】
請求項６の発明に従う動画像再生装置は、請求項５に従属し、主要画像データは第１方式に従う符号化フレームを周期的に含み、付属画像データを形成する符号化フレームは主要画像データにおいて第１方式に従う符号化フレームと一致し、フレームレート情報は主要画像データで第１方式に従う符号化フレームが出現する周期を示す情報である。
【００１７】
請求項７の発明に従う動画像再生装置は、請求項５または６に従属し、第２動画像コンテンツは付属画像データの解像度情報をさらに含み、出力手段は解像度情報に基づいて復号画像にズーム処理を施すズーム処理手段を含む。
【００１８】
請求項８の発明に従う動画像再生装置は、請求項１ないし７のいずれかに従属し、第１方式はイントラ符号化方式であり、第２方式はインター符号化方式である。
【発明の効果】
【００１９】
この発明によれば、第２動画像コンテンツが選択されたときは、付属画像データに基づく簡易的な動画再生が行われる。つまり、簡易的ではあるものの、予定外の方式で符号化された動画像コンテンツの再生処理が実現される。
【００２０】
この発明の上述の目的，その他の目的，特徴および利点は、図面を参照して行う以下の実施例の詳細な説明から一層明らかとなろう。
【発明を実施するための最良の形態】
【００２１】
図１を参照して、この実施例の動画像再生装置１０は、記録媒体３２を取り外し可能に保持するスロット３０を含む。記録媒体３２には、複数の動画ファイルが記録される。記録された動画ファイルのファイル名は、“ＭＰ４”または“ＭＯＶ”の拡張子を有する。
【００２２】
“ＭＰ４”の拡張子は、ＭＰＥＧ４方式で符号化された動画像データつまりＭＰＥＧ４データを格納する動画ファイルのファイル名に割り当てられる。また、“ＭＯＶ”の拡張子は、ＭＪＰＥＧ方式で符号化された動画像データつまりＭＪＰＥＧデータを格納する動画ファイルのファイル名に割り当てられる。
【００２３】
図２（Ａ）に示すように、ＭＰＥＧ４データは、イントラ符号化を施されたＩフレームと、各々がインター符号化を施されたＢフレームおよびＰフレームとによって形成される。Ｉフレームは、たとえば３０フレームに１フレームの割合で作成される。一方、図２（Ｃ）に示すように、ＭＪＰＥＧデータは、Ｉフレームのみによって形成される。
【００２４】
また、図２（Ｂ）および図２（Ｄ）に示すように、ＭＰＥＧ４データおよびＭＪＰＥＧデータのいずれにもサムネイル画像データが付属する。サムネイル画像データも、イントラ符号化を施されたＩフレームのみによって形成される。ＭＰＥＧ４データに付属するサムネイル画像データは、ＭＰＥＧ４データのＩフレームと同じフレームで作成される。一方、ＭＪＰＥＧデータに付属するサムネイル画像データは、先頭フレームのみで作成される。
【００２５】
図１から分かるように、この実施例の動画像再生装置１０が対応する復号方式は、ＪＰＥＧ方式のみである。ＪＰＥＧ方式では、Ｉフレームの復号は可能であるものの、ＰフレームやＢフレームを復号は不可能である。つまり、図２（Ｃ）に示すＭＪＰＥＧデータや図２（Ｂ）または図２（Ｄ）に示すサムネイル画像データは復号できるが、図２（Ａ）に示すＭＰＥＧ４データは復号できない。
【００２６】
そこで、この実施例では、再生モードの決定にあたって動画像データの符号化方式が注目される。つまり、動画像データがＭＪＰＥＧデータであれば、再生モードが“通常再生”に設定される。“通常再生”の設定によって、ＭＪＰＥＧデータが正規に再生される。一方、動画像データがＭＰＥＧ４データであれば、再生モードが“簡易再生”に設定される。“簡易再生”の設定によって、ＭＰＥＧ４データの代わりにサムネイル画像データが再生される。
【００２７】
ただし、ＭＪＰＧデータおよびこれに付属するサムネイル画像データは、常に共通の動画ファイルに格納される一方、ＭＰＥＧ４データおよびこれに付属するサムネイル画像データは、常に共通の動画ファイルに格納されるとは限らない。つまり、動画像コンテンツによっては、動画ファイルに付属する付属ファイルが作成され、ＭＰＥＧ４データおよびサムネイル画像データが動画ファイルおよび付属ファイルにそれぞれ格納される。このようにサムネイル画像データが付属ファイルによって管理された動画像コンテンツについては、付属ファイルが記録媒体３２から欠落する可能性がある。
【００２８】
そこで、この実施例では、ＭＰＥＧ４データを格納する動画ファイルについて、サムネイル画像データがこの動画ファイルに含まれるか否かが判別され、判別結果が否定的であれば付属ファイルが検索される。そして、付属ファイルが発見されなければ、再生モードが“再生不可”に設定される。これによって、付属ファイルが存在しない動画ファイルの選択操作が禁止され、選択操作を行ったにも関らず再生動作が実行されない事態が回避される。
【００２９】
なお、付属ファイルのファイル名は、拡張子が“ＭＴＮ”である点を除き、付属先の動画ファイルのファイル名と同じである。つまり、付属ファイルを有する動画ファイルのファイル名が“ABCD0013.MP4”であれば、付属ファイルは“ABCD0013.MTN”のファイル名を有する。
【００３０】
ＭＪＰＥＧデータを格納する動画ファイルは、図３に示すように構成される。図３によれば、動画ファイルは、ヘッダ情報，サムネイル情報およびＭＪＰＥＧデータによって形成される。ヘッダ情報は、サムネイル情報オフセット値，動画像データオフセット値，解像度情報，フレームレート情報，符号化方式情報およびＩフレーム間隔情報によって形成される。また、サムネイル情報は、フレーム数，サムネイルフレームオフセット情報およびサムネイルフレーム情報によって形成される。
【００３１】
ヘッダ情報に関連して、サムネイル情報オフセット値は、ファイルの先頭からサムネイル情報の先頭までの距離を示し、動画像データオフセット値は、ファイルの先頭からＭＪＰＥＧデータの先頭までの距離を示す。解像度情報，フレームレート情報および符号化方式情報はそれぞれ、ＭＪＰＥＧデータの解像度，フレームレートおよび符号化方式を示す。解像度は“ＶＧＡ”，“ＱＶＧＡ”および“ＣＩＦ”のいずれか１つを示し、フレームレートは“３０ｆｐｓ”および“１５ｆｐｓ”のいずれか１つを示し、そして符号化方式は“ＭＪＰＥＧ”を示す。Ｉフレーム間隔情報はＩフレームの間隔を示す。ＭＪＰＥＧデータを形成するフレームは全てＩフレームであるため、Ｉフレーム間隔情報は“１”を示す。
【００３２】
サムネイル情報に関連して、フレーム数は、サムネイル画像データのフレーム数を示す。ＭＪＰＥＧデータでは先頭フレームについてのみサムネイル画像データが形成されるため、フレーム数は“１”を示す。サムネイルフレーム情報は、解像度情報，符号化方式情報およびサムネイル画像データを１フレーム毎に管理する。解像度情報および符号化方式情報はそれぞれ、対応するサムネイル画像データの解像度および符号化方式を示す。解像度は“１６０＊１２０”を示し、符号化方式は“ＪＰＥＧ”を示す。サムネイルフレームオフセット情報は、サムネイルフレーム情報を形成する各フレームに関連するフレームオフセット値を有する。フレームオフセット値は、ファイルの先頭から注目するフレームまでの距離を示す。
【００３３】
ＭＰＥＧ４データを格納する動画ファイルは、図４または図５（Ａ）に示すように構成される。つまり、自らサムネイル画像データを格納する動画ファイルは図４に示すように構成され、サムネイル画像データが図５（Ｂ）に示す付属ファイルに格納される動画ファイルは図５（Ａ）に示すように構成される。
【００３４】
図４によれば、動画ファイルは、ヘッダ情報，サムネイル情報およびＭＰＥＧ４データによって形成される。ヘッダ情報は、図３と同様に、サムネイル情報オフセット値，動画像データオフセット値，解像度情報，フレームレート情報，符号化方式情報およびＩフレーム間隔情報によって形成される。また、サムネイル情報は、フレーム数，サムネイルフレームオフセット情報およびサムネイルフレーム情報によって形成される。
【００３５】
なお、Ｉフレーム間隔情報は、１ＧＯＰが３０フレームによって形成されるとき“３０”を示し、１ＧＯＰが１５フレームによって形成されるとき“１５”を示す。
【００３６】
サムネイル情報に関連して、フレーム数は、サムネイル画像データのフレーム数を示す。ＭＰＥＧデータではサムネイル画像データは周期的に作成されるため、フレーム数は“Ｍｍａｘ”（＝不定）を示す。サムネイルフレーム情報は、図３と同様に、解像度情報，符号化方式情報およびサムネイル画像データを１フレーム毎に管理する。サムネイルフレームオフセット情報も、図３と同様、サムネイルフレーム情報を形成する各フレームに関連するフレームオフセット値を有する。ただし、フレーム数が“Ｍｍａｘ”であるため、サムネイルフレーム情報は第１フレーム〜第Ｍｍａｘフレームの各々について準備され、サムネイルフレームオフセット情報も第１フレーム〜第Ｍｍａｘフレームの各々について準備される。
【００３７】
図５（Ａ）によれば、動画ファイルは、ヘッダ情報およびＭＰＥＧ４データによって形成される。ヘッダ情報は、図３および図４と同様、サムネイル情報オフセット値，動画像データオフセット値，解像度情報，フレームレート情報，符号化方式情報およびＩフレーム間隔情報によって形成される。ただし、サムネイル情報オフセット値は、“０”を示す。この“０”という数値によって、サムネイル画像データが付属ファイルによって管理されていることを認識できる。
【００３８】
図５（Ｂ）を参照して、付属ファイルは、図４に示すサムネイル情報と同じ構造のサムネイル情報を格納する。つまり、サムネイル情報は、図４と同様に、フレーム数，サムネイルフレームオフセット情報およびサムネイルフレーム情報によって形成される。
【００３９】
図１に戻って、キー入力装置２４によって動画再生モードが選択されると、ＣＰＵ２２は、Ｉ／Ｆ２８を通して記録媒体３２にアクセスし、拡張子“ＭＯＶ”または“ＭＰ４”が割り当てられたファイル名を記録媒体３２から検出する。検出されたファイル名は、図６に示す要領でファイルリスト２２ｔに登録する。ＣＰＵ２２はまた、拡張子“ＭＯＶ”が割り当てられた動画ファイルについて再生モード“通常再生”を設定し、拡張子“ＭＰ４”が割り当てられた動画ファイルについて、サムネイル画像データの有無に応じて再生モード“簡易再生”または“再生不可”を設定する。こうして、図６に示すファイルリスト２２ｔが完成する。
【００４０】
ＣＰＵ２２は続いて、ファイルリスト２２ｔ上で連続する４つの動画ファイルに注目し、注目する動画ファイルまたはこれの付属ファイルに格納された先頭フレームのサムネイル画像データを読み出す。読み出されたサムネイル画像データはメモリ制御回路１４を通してＳＤＲＡＭ１６に格納される。ＣＰＵ２２はその後、ＪＰＥＧ復号回路１２に向けて復号命令を発行する。ＪＰＥＧ復号回路１２は、メモリ制御回路１４を通してＳＤＲＡＭ１６からサムネイル画像データを読み出し、読み出されたサムネイル画像データを復号し、そして復号されたサムネイル画像データをＳＤＲＡＭ１６に書き込む。サムネイル画像データは、図示しない表示画像エリアに格納される。
【００４１】
なお、注目する動画ファイルの再生モードが“再生不可”であれば、ＣＰＵ２２は、上述の読み出し／復号処理に代えて、“再生不可”を示すテキストデータをＳＤＲＡＭ１６の表示画像エリアに書き込む。
【００４２】
ビデオエンコーダ１８は、こうして表示画像エリアに格納された画像データをメモリ制御回路１４を通して読み出し、読み出された画像データをコンポジット画像信号に変換する。変換されたコンポジット画像信号は、ＬＣＤモニタ２０に与えられる。この結果、４つの子画面によって形成されるインデックス画像が、図７に示す要領でモニタ画面に表示される。
【００４３】
ここでキー入力装置２４によって画面更新操作が行われると、別の動画ファイルについて上述の処理が実行される。これによって、インデックス画像の表示態様が更新される。
【００４４】
また、キー入力装置２４によってファイル選択操作（所望の子画面を選択する操作）が行われると、選択された子画面に対応する動画ファイルが再生処理を施される。動画ファイルの再生モードが“通常再生”であれば通常再生処理が実行され、動画ファイルの再生モードが“簡易再生”であれば簡易再生処理が実行される。なお、“再生不可”が表示された子画面に向けられたファイル選択操作は、無効とされる。
【００４５】
通常再生処理を実行するとき、ＣＰＵ２２は、動画ファイルからＭＪＰＥＧデータを読み出し、読み出されたＭＪＰＥＧデータをメモリ制御回路１４を通してＳＤＲＡＭ１６に書き込む。ＣＰＵ２２はまた、動画ファイルのヘッダ情報に含まれる解像度情報を参照して、ビデオエンコーダ１８のズーム回路１８ｚにズーム倍率を設定する。ＣＰＵ２２はさらに、動画ファイルのヘッダ情報に含まれるフレームレート情報を参照して、１／３０秒または１／１５秒毎にＪＰＥＧ復号回路１２に向けて復号命令を発行する。
【００４６】
ＪＰＥＧ復号回路１２は、復号命令が発行される毎に、１フレームのＭＪＰＥＧデータをメモリ制御回路１４を通してＳＤＲＡＭ１６から読み出し、読み出されたＭＪＰＥＧデータを復号し、そして復号された画像データをメモリ制御回路１４を通してＳＤＲＡＭ１６の表示画像エリアに書き込む。
【００４７】
一方、ビデオエンコーダ１８は、表示画像エリアに格納された画像データをメモリ制御回路１４を通して読み出し、読み出された画像データにズーム回路１８ｚを利用してズーム処理を施し、そして処理された画像データをコンポジット画像信号に変換する。変換されたコンポジット画像信号はＬＣＤモニタ２０に与えられ、この結果、通常速度の動画像が正規に再生される。なお、動画像は、モニタ画面一杯に表示される。
【００４８】
簡易再生処理を実行するとき、ＣＰＵ２２は、動画ファイルのヘッダ情報に含まれるサムネイル情報オフセット値を参照して、サムネイル情報を特定する。サムネイル情報オフセット値が“０”以外の数値を示すときは、この数値に基づいて動画ファイル内でサムネイル情報を特定する。一方、サムネイル情報オフセット値が“０”を示すときは、関連するファイル名を持つ付属ファイルからサムネイル情報を特定する。特定されたサムネイル情報は、記録媒体３２から読み出され、メモリ制御回路１４を通してＳＤＲＡＭ１６に書き込まれる。
【００４９】
ＣＰＵ２２は続いて、サムネイルフレーム情報に含まれる各フレームの解像度情報に基づいてズーム回路１８ｚにズーム倍率を設定し、ＪＰＥＧ復号回路１２に復号命令を与える。倍率設定処理および復号命令処理は、ヘッダ情報に含まれるＩフレーム間隔情報およびフレームレート情報によって規定される周期で実行される。
【００５０】
ＪＰＥＧ復号回路１２は、メモリ制御回路１４を通してＳＤＲＡＭ１６から注目フレームのサムネイル画像データを読み出し、読み出されたサムネイル画像データを復号し、そして復号されたサムネイル画像データをＳＤＲＡＭ１６の表示画像エリアに書き込む。
【００５１】
ビデオエンコーダ１８は、表示画像エリアに格納された画像データをメモリ制御回路１４を通して読み出し、読み出された画像データにズーム回路１８ｚを利用してズーム処理を施し、そして処理された画像データをコンポジット画像信号に変換する。変換されたコンポジット画像信号はＬＣＤモニタ２０に与えられ、この結果、通常速度の動画像が簡易的に再生される。なお、動画像は、モニタ画面一杯に表示される。
【００５２】
ＣＰＵ２２は、図８〜図１１に示すフロー図に従う処理を実行する。なお、これらのフロー図に対応する制御プログラムは、フラッシュメモリ２６に記憶される。
【００５３】
まずステップＳ１で、“ＭＰ４”または“ＭＯＶ”の拡張子を有するファイル名を図６に示すファイルリスト２２ｔに登録する。ステップＳ３では、リスト番号Ｎを“１”に設定する。ステップＳ５では、Ｉ／Ｆ２８を通して記録媒体３２にアクセスし、リスト番号Ｎに割り当てられた動画ファイルからヘッダ情報を検出する。
【００５４】
ステップＳ７では、検出されたヘッダ情報に含まれる符号化方式情報が“ＭＰＥＧ−４”を示すか否かを判別する。ここでＮＯであれば、注目する動画ファイルはＭＪＰＥＧデータを含んでいるとみなし、ステップＳ１９で“通常再生”の再生モード情報をファイルリスト２２ｔに登録する。再生モード情報は、リスト番号Ｎに割り当てられる。
【００５５】
符号化方式情報が“ＭＰＥＧ−４”であればステップＳ９に進み、ヘッダ情報に含まれるサムネイル情報オフセット値が“０”であるか否かを判別する。ここでＮＯであればステップＳ１５に進み、“簡易再生”の再生モード情報をファイルリスト２２ｔのリスト番号Ｎの欄に登録する。ステップＳ９でＹＥＳであれば、ステップＳ１１で付属ファイルを検索する。つまり、注目する動画ファイルと関連するファイル名を持つ付属ファイルを記録媒体３２から検索する。ステップＳ１３では付属ファイルが発見されたか否か判断し、ＹＥＳであればステップＳ１５に進む。一方、付属ファイルが発見されなかったときは、ステップＳ１７に進み、“再生不可”の再生モード情報をファイルリスト２２ｔのリスト番号Ｎの欄に登録する。
【００５６】
ステップＳ１５，Ｓ１７またはＳ１９の処理が完了すると、リスト番号Ｎが最大値Ｎｍａｘに達したか否かをステップＳ２１で判断する。ここでＮＯであれば、ステップＳ２３でリスト番号ＮをインクリメントしてステップＳ５に戻る。一方、ステップＳ２１でＹＥＳであれば、ステップＳ２５でリスト番号Ｎを“１”に設定し、ステップＳ２７で表示位置番号Ｄを“１”に設定する。
【００５７】
ステップＳ３１ではリスト番号Ｎに割り当てられた再生モード情報が“再生不可”であるか否かを判別する。ここでＹＥＳであればステップＳ３３に進み、表示画像エリアの表示位置番号Ｄに対応する位置に“再生不可”のテキストデータを書き込む。一方、ステップＳ３１でＮＯであれば、ステップＳ３１に進み、第１フレームのサムネイル画像データを記録媒体３２からＳＤＲＡＭ１６に転送し、かつＪＰＥＧ復号回路１２に復号命令を発行する。この結果、復号されたサムネイル画像データが表示画像エリアの表示位置番号Ｄに対応する位置に書き込まれる。
【００５８】
ステップＳ３５では、表示位置番号Ｄが“４”に達したか否かを判別する。ここでＮＯであれば、ステップＳ３７でリスト番号Ｎおよび表示位置番号ＤをインクリメントしてステップＳ２９に戻る。この結果、ステップＳ２９〜Ｓ３７の処理が４回繰り返される。表示画像エリアに展開された画像データはビデオエンコーダ１８によって読み出され、この結果、図７に示すインデックス画像がＬＣＤモニタ２０に表示される。
【００５９】
ステップＳ３５でＹＥＳと判断されると、画面更新操作が行われたか否かをステップＳ３９で判断し、ファイル選択操作が行われたか否かをステップＳ４３で判断する。画面更新操作が行われたときは、ステップＳ４１でリスト番号Ｎをインクリメントまたはディクリメントし、その後ステップＳ２７に戻る。これによって、ＬＣＤモニタ２０の表示が更新される。
【００６０】
ファイル選択操作が行われたときはステップＳ４３でＹＥＳと判断し、選択された動画ファイルの再生モードをステップＳ４５およびＳ４７の各々で判断する。再生モードの判断にあたっては、ファイルリスト２２ｔが参照される。再生モードが“再生不可”であれば、ステップＳ４７からステップＳ３９に戻る。再生モードが“簡易再生”であればステップＳ４９で簡易再生処理を実行し、再生モードが“通常再生”であればステップＳ５１で通常再生処理を実行する。ステップＳ４９またはＳ５１の処理が完了すると、ステップＳ５３でリスト番号Ｎを“３”減少させてからステップＳ２７に戻る。
【００６１】
ステップＳ４９の簡易再生処理は、図１１に示すサブルーチンに従う。ステップＳ６１では、選択された動画ファイルからヘッダ情報を検出する。ステップＳ６３では、検出されたヘッダ情報に含まれるサムネイル情報オフセット値が“０”であるか否かを判別する。ここでＮＯであればそのままステップＳ６７に進むが、ＹＥＳであれば選択された動画ファイルに関連する付属ファイルをステップＳ６５で特定してからステップＳ６７に進む。ステップＳ６７では、選択された動画ファイルまたは特定された付属ファイルに含まれるサムネイル情報を記録媒体３２からＳＤＲＡＭ１６に転送し、ステップＳ６９ではフレーム番号Ｍを“１”に設定する。
【００６２】
ステップＳ７１では、第Ｍフレームの解像度情報によって規定されるズーム倍率をズーム回路１８ｔに設定する。ステップＳ７３では、第Ｍフレームのサムネイル画像データの復号処理をＪＰＥＧ復号回路１２に命令する。ＪＰＥＧ復号回路１２は、注目するサムネイル画像データをメモリ制御回路１４を通してＳＤＲＡＭ１６から読み出し、読み出されたサムネイル画像データを復号し、そして復号されたサムネイル画像データをメモリ制御回路１４を通してＳＤＲＡＭ１６の表示画像エリアに書き込む。
【００６３】
こうして表示画像エリアに格納されたサムネイル画像データは、ビデオエンコーダ１８によって読み出され、ズーム回路１８ｚによるズーム処理を経てコンポジット画像信号に変換される。変換されたコンポジット画像信号はＬＣＤモニタ２０に与えられ、この結果、拡大されたサムネイル画像がモニタ画面一杯に表示される。
【００６４】
ステップＳ７５では、ステップＳ６１で検出されたヘッダ情報に含まれるＩフレーム間隔情報およびフレームレート情報によって規定される時間にわたって待機する。待機時間は、具体的には、Ｉフレーム間隔が示す数値をフレームレートが示す数値によって割り算した時間（秒）である。ステップＳ７７では、フレーム番号Ｍが最大値Ｍｍａｘに達したか否かを判断する。ここでＮＯであれば、ステップＳ７９でフレーム番号ＭをインクリメントしてステップＳ７３に戻る。この結果、拡大されたサムネイル画像によって形成される簡易動画像が、ＬＣＤモニタ２０から出力される。ステップＳ７７でＹＥＳと判断されると、上階層のルーチンに復帰する。
【００６５】
以上の説明から分かるように、記録媒体３２に記録された複数の動画像コンテンツのいずれか１つがキー入力装置２４によって選択されると、選択された動画像コンテンツがＭＪＰＥＧ方式に従う動画像コンテンツおよびＭＰＥＧ４方式に従う動画像コンテンツのいずれであるかが、ＣＰＵ２２によって判別される(S47)。ここで、ＭＰＥＧ方式に従う動画像コンテンツは、Ｉフレームによって形成されるＭＪＰＥＧデータを含む。また、ＭＰＥＧ４方式に従う動画像コンテンツは、Ｉフレーム，ＢフレームおよびＰフレームによって形成されるＭＰＥＧ４データと、Ｉフレームによって形成されるサムネイル画像データとを含む。
【００６６】
ＪＰＥＧ復号回路１２は、Ｉフレームの復号処理にのみ対応する。このため、選択された動画像コンテンツがＭＪＰＥＧ方式に従うときは、ＭＪＰＥＧデータがＣＰＵ２２によって記録媒体３２から読み出され、ＭＪＰＥＧデータに基づく正規の動画再生が行われる(S51)。一方、選択された動画像コンテンツがＭＰＥＧ４方式に従うときは、サムネイル画像データがＣＰＵ２２によって記録媒体３２から読み出され、サムネイル画像データに基づく簡易的な動画再生が行われる(S49)。つまり、予定外の方式で符号化された動画像コンテンツについても、簡易的ではあるが、動画再生が実現される。
【００６７】
なお、この実施例では、サムネイル画像データはＪＰＥＧ圧縮を施された状態で管理されているが、サムネイル画像データは非圧縮のＴＩＦＦ形式で管理するようにしてもよい。
【図面の簡単な説明】
【００６８】
【図１】この発明の一実施例の構成を示すブロック図である。
【図２】（Ａ）はＭＰＥＧ４データの構造の一例を示す図解図であり、（Ｂ）はＭＰＥＧ４データに付属するサムネイル画像データの構造の一例を示す図解図であり、（Ｃ）はＭＪＰＥＧデータの構造の一例を示す図解図であり、そして（Ｄ）はＭＪＰＥＧデータに付属するサムネイル画像データの構造の一例を示す図解図である。
【図３】ＭＪＰＥＧファイルの構造の一例を示す図解図である。
【図４】ＭＰＥＧファイルの構造の一例を示す図解図である。
【図５】（Ａ）はＭＰＥＧファイルの構造の他の一例を示す図解図であり、（Ｂ）は（Ａ）に示すＭＰＥＧファイルに付属する付属ファイルの構造の一例を示す図解図である。
【図６】図１実施例で参照されるファイルリストの一例を示す図解図である。
【図７】図１実施例のＬＣＤモニタにマルチ表示されるインデックス画像の一例を示す図解図である。
【図８】図１実施例に適用されるＣＰＵの動作の一部を示すフロー図である。
【図９】図１実施例に適用されるＣＰＵの動作の他の一部を示すフロー図である。
【図１０】図１実施例に適用されるＣＰＵの動作のその他の一部を示すフロー図である。
【図１１】図１実施例に適用されるＣＰＵの動作のさらにその他の一部を示すフロー図である。
【符号の説明】
【００６９】
１０  …動画像再生装置
１２  …ＪＰＥＧ復号回路
１６  …ＳＤＲＡＭ
１８  …ビデオエンコーダ
２２  …ＣＰＵ
３２  …記録媒体
【図１】
2006081071.tif 000003
【図２】
2006081071.tif 000004
【図３】
2006081071.tif 000005
【図４】
2006081071.tif 000006
【図５】
2006081071.tif 000007
【図６】
2006081071.tif 000008
【図７】
2006081071.tif 000009
【図８】
2006081071.tif 000010
【図９】
2006081071.tif 000011
【図１０】
2006081071.tif 000012
【図１１】
2006081071.tif 000013